(57)【要約】【課題】適度な締め付けと充分な通気性を備えた、特にランニングパンツ等の動用の下衣に適したウエスト部構造を提供することを目的とする。【解決手段】アウター部、インナー部、ウエストゴム部、ループ用部材及び締め付け用の腰紐で構成され、前記ウエストゴム部は下衣のウエスト側端部に配置されると共に前記アウター部及び前記インナー部と一体化され、前記アウター部又は前記インナー部において前記ウエストゴム部に隣接する領域に、前記ループ用部材によってループを形成し、前記ループ内に前記締め付け用の腰紐を設けたことを特徴とする下衣のウエスト部構造。【選択図】図１
2007119959.tif 000002
【特許請求の範囲】
【請求項１】
アウター部、インナー部、ウエストゴム部、ループ用部材及び締め付け用の腰紐で構成され、前記ウエストゴム部は下衣のウエスト側端部に配置されると共に前記アウター部及び前記インナー部と一体化され、前記アウター部又は前記インナー部において前記ウエストゴム部に隣接する領域に、前記ループ用部材によってループを形成し、前記ループ内に前記締め付け用の腰紐を設けたことを特徴とする下衣のウエスト部構造。
【請求項２】
前記ウエストゴム部の幅が５ｍｍ以上１５ｍｍ以下であることを特徴とする請求項１に記載の下衣のウエスト部構造。
【請求項３】
前記インナー部、アウター部及びループ用部材は、ウエストゴム部で覆われている端部から３０ｍｍ以上の領域をメッシュ素材で構成したことを特徴とする請求項１又は２に記載の下衣のウエスト部構造。
【発明の詳細な説明】
【技術分野】
【０００１】
本発明は、下衣のウエスト部構造に関するものであり、適度な締め付けと充分な通気性を備えた、特にランニングパンツ等の動用の下衣に適したウエスト部構造に関するものである。
【背景技術】
【０００２】
ランニングパンツ等にみられる運動用の下衣のウエスト部分は、運動によって体を動かした際に下衣がずれないようにするために一定の締め付けが必要となる。ウエスト部に締め付けを与える従来の方法としては、伸縮性を有するゴムテープを下衣を構成する生地のウエスト部に直接縫いつけるか、或いは、生地のウエスト端部を折り返してループ状とし、ループの中にゴムテープや締め付け用の紐を通すといった手法がとられ、これらの手法でウエスト部分の締め付けを調整していた。
【０００３】
下記特許文献１には、一旦締め付け調整した後の腰回りの変化に対して広範また柔軟に対応することができ、ゴムや紐をきつく引き締めなくとも広範囲で好適な締め付け具合が得られる衣類、さらに適度な締め付け具合を簡単且つ容易に確保し得えて、頻繁に再調整する必要の少ない着脱容易な衣類が開示されている。
【０００４】
【特許文献１】特開２００１−２２６８０１号公報
【発明の開示】
【発明が解決しようとする課題】
【０００５】
しかし、前記特許文献１の衣服では、ウエスト部分においてベルト幅に相当する程度の幅に第１ゴム及び第２ゴムが配置されるために、ウエスト部分に十分な通気性が確保されず、ランニングパンツ等の運動用の下衣のウエスト部構造には適さない。
【０００６】
本発明は、前記従来の問題を解決し、適度な締め付けと充分な通気性を備えた運動用の下衣に適したウエスト部構造を提供することを目的とする。
【課題を解決するための手段】
【０００７】
前記の課題を解決するために、本発明の下衣のウエスト部構造は、アウター部、インナー部、ウエストゴム部、ループ用部材及び締め付け用の腰紐で構成され、前記ウエストゴム部は下衣のウエスト側端部に配置されると共に前記アウター部及び前記インナー部と一体化され、前記アウター部又は前記インナー部において前記ウエストゴム部に隣接する領域に、前記ループ用部材によってループを形成し、前記ループ内に前記締め付け用の腰紐を設けたことを特徴とする下衣のウエスト部構造である。
また、前記ウエストゴム部の幅は、５ｍｍ以上１５ｍｍ以下とする。
また、前記インナー部、アウター部及びループ用部材は、ウエストゴム部で覆われている端部から３０ｍｍ以上の領域をメッシュ素材で構成する。
【発明の効果】
【０００８】
本発明の下衣のウエスト部構造は、後述するような構成とすることで、適度な締め付けと充分な通気性を備えた運動用の下衣に適したウエスト部構造とすることができる。
【０００９】
アウター部１及びインナー部２は、ウエストゴム部３の端部３１からの領域Ｒ１をメッシュ素材Ｒで構成している。前記の領域Ｒ１の幅は３０ｍｍ以上とする。後述するループ用部材を含めて、少なくとも前記の領域における生地素材を全てメッシュ素材Ｒで構成し、且つウエストゴム部の幅Ｌ１を前記の値とすることで、運動中も下衣に充分な通気性を確保できる。
【発明を実施するための最良の形態】
【００１０】
本発明に係るウエスト部の構造を、ランニングパンツに採用した実施例を以下に示す。図１はランニングパンツの正面図であり、図２（ａ）及び（ｂ）は図１におけるＡ−Ａ線断面図を模式的に示した図である。
ランニングパンツ１０は、アウター部１、インナー部２、ウエストゴム部３、ループ用部材４及び腰紐５で構成する。パンツ本体はアウター部１及びインナー部２の二層構造となっており、アウター部１はトランクス型、インナー部２はブリーフ型で構成する。
【００１１】
アウター部１は、ウエストゴム部３よりも下側かつ外側に配置され、インナー部２は、ウエストゴム３部よりも下側かつ内側に配置され、両者のウエスト側の端部を重ねた後、ウエストゴム部３で両者を覆い、縫製によって一体化する。
【００１２】
ウエストゴム部の幅Ｌ１は５ｍｍ以上１５ｍｍ以下とする。５ｍｍよりも小さい場合には、通常の締め付け強度のゴムでは充分な締め付けが得られず、また締め付け強度の強いゴムを用いた場合は、くい込みによる腹部への過度の圧迫が生じるためである。また１５ｍｍよりも大きくした場合は、ゴムによって通気が阻害されるので、ウエスト部分に充分な通気性を与えることができない。
【００１３】
アウター部１及びインナー部２は、ウエストゴム部３の端部３１からの領域Ｒ１をメッシュ素材Ｒで構成している。前記の領域Ｒ１の幅は３０ｍｍ以上とする。後述するループ用部材を含めて、少なくとも前記の領域における生地素材を全てメッシュ素材Ｒで構成し、且つウエストゴム部の幅Ｌ１を前記の値とすることで、運動中も下衣に充分な通気性を確保できる。
メッシュ素材で構成する領域Ｒ１が前記の３０ｍｍよりも小さいと、充分な通気性を得ることができない。３０ｍｍ以上であれば充分な通気性を確保することができる。またランニングパンツを構成する全ての部材をメッシュ素材で構成することも可能である。
なお、図２（ａ）及び（ｂ）では、アウター部１、インナー部２、ループ用部材４において、メッシュ素材Ｒで構成される部分を点線で表し、縫製部分を６１、６２で示している。
【００１４】
ループ用部材４は、メッシュ素材Ｒで構成され、インナー部２のウエストゴム部３に隣接する領域に縫製によって設けられ、締め付け用の腰紐５を通すためのループ４１を形成する。
図２（ａ）ではループ用部材４をアウター部１とインナー部２に挟まれた中間層に設けたが、ループ用部材４を設ける際の変形例を図３に示す。図３（ａ）はループ用部材４をインナー部２のさらに内側に設けたケース、図３（ｂ）はループ用部材４とインナー部２とを同一の部材で形成し、ループ用部材４をインナー部２の内側に設けたケース、図３（ｃ）はループ用部材４とインナー部２とを同一の部材で形成し、ループ用部材４をアウター部１とインナー部２に挟まれた中間層に設けたケース、図３（ｄ）は二つのループ用部材４ａと４ｂとでループを形成し、二つのループ用部材４ａと４ｂとインナー部２とを縫製で一体化したケースをそれぞれ示している。
【００１５】
また、前記の図２（ａ）及び図３（ａ）〜（ｄ）に示した実施例では、インナー部２とループ用部材４とを縫製６１で一体化した場合を示したが、図２（ｂ）に示すように、アウター部１とインナー部２とループ用部材４とを縫製６２で一体化することも可能である。
また、図２（ａ）、（ｂ）及び図３（ａ）〜（ｄ）では、インナー部２にループ４１を設けるケースを示したが、前記の各ケースと同様の方法でアウター部１にループ４１を設けることも可能である。
【００１６】
本発明でいうメッシュ素材とは、ＪＩＳ  Ｌ  １０９６Ａに従い、３８ｃｍ２の試験生地に１２５Ｐａの強さで空気をあてた時の空気の通気量で、１００ｃｍ３／ｃｍ２／ｓｅｃ以上の素材のことである。
【００１７】
前記の実施例では、各部材を縫製によって一体化したが、縫製方法は特に限定されるものではなく、通常用いられる任意の方法が可能である、また縫製に限らず接着で各部材を一体化することも可能であるし、複数の部材を一体編成で構成することも可能である。
また、アウター部、インナー部、ウエストゴム部、ループ用部材の各部材は、それぞれ一枚の生地素材で構成することもできるし、複数の部材で構成することも可能である。
【図面の簡単な説明】
【００１８】
【図１】本発明に係るウエスト部構造を有するランニングパンツの斜視図である。
【図２】図２（ａ）及び図２（ｂ）は図１におけるＡ−Ａ線断面図を模式的に示した図である。
【図３】図３（ａ）〜（ｄ）は図２に示した実施例の変形例を示した図である。
【符号の説明】
【００１９】
１０    ランニングパンツ
１      アウター部
２      インナー部
３      ウエストゴム部
４、４ａ、４ｂ  ループ用部材
５      腰紐
６１、６２  縫製部
Ｒ      メッシュ素材
Ｒ１    領域
Ｌ１    幅
【図１】
2007119959.tif 000003
【図２】
2007119959.tif 000004
【図３】
2007119959.tif 000005